(57)【要約】【課題】  用紙１枚単位で独立に設定された処理条件で処理された複数の用紙を出力することができるようにする。【解決手段】  複数の用紙を任意選択可能に処理する処理手段５３，５４，５５と、この処理手段５３，５４，５５による用紙処理動作を選択指示する指示手段１９と、この指示手段１９により選択指示された用紙処理動作に関する実行条件を用紙１枚単位で設定する設定手段１９と、この設定手段１９により設定された実行条件で複数の用紙を夫々処理するように処理手段５３，５４，５５による用紙処理動作を用紙毎に制御する制御手段６０とを備える【選択図】        図１
2005096924.tif 000002
【特許請求の範囲】
【請求項１】
複数の用紙を任意選択可能に処理する処理手段と、
前記複数の用紙に対して前記処理手段による用紙処理動作を選択指示する指示手段と、
前記指示手段により選択指示された前記用紙処理動作に関する実行条件を用紙１枚単位で設定する設定手段と、
前記設定手段により設定された前記実行条件で前記複数の用紙を夫々処理するように前記処理手段による用紙処理動作を用紙毎に制御する制御手段と
を備えることを特徴とする用紙処理装置。
【請求項２】
前記設定手段は、前記複数の用紙に対する処理位置を用紙１枚単位で調整するための個別調整値を前記実行条件として設定する個別調整値設定手段を有し、
前記制御手段は、前記個別調整値設定手段により設定された前記個別調整値に基づいて前記処理手段により、用紙１枚単位での処理位置を調整する
ことを特徴とする請求項１に記載の用紙処理装置。
【請求項３】
前記設定手段は、前記処理位置を用紙サイズ毎に調整するための全体調整値を設定する全体調整値設定手段を有し、
前記制御手段は、
前記複数の用紙の中で、前記個別調整値設定手段により前記個別調整値が設定された用紙の処理位置を当該個別調整値に基づいて調整し、
前記個別調整値が設定されなかった用紙の処理位置を前記全体調整値に基づいて調整する
ことを特徴とする請求項２に記載の用紙処理装置。
【請求項４】
前記個別調整値及び全体調整値を調整データとして記憶する記憶手段を更に備えることを特徴とする請求項３に記載の用紙処理装置。
【請求項５】
前記処理手段は、前記複数の用紙に穴を開ける穿孔手段を有し、
前記制御手段は、前記複数の用紙に前記穿孔手段により穿孔処理を施す位置を前記個別調整値又は全体調整値に基づき調整する
ことを特徴とする請求項３に記載の用紙処理装置。
【請求項６】
前記処理手段は、前記複数の用紙を折る折り手段を有し、
前記制御手段は、前記複数の用紙に前記折り手段により折り処理を施す位置を前記個別調整値又は全体調整値に基づき調整する
ことを特徴とする請求項３に記載の用紙処理装置。
【請求項７】
前記処理手段は、前記複数の用紙を断裁する断裁手段を有し、
前記制御手段は、前記複数の用紙に前記断裁手段により断裁処理を施す位置を前記個別調整値又は全体調整値に基づき調整する
ことを特徴とする請求項３に記載の用紙処理装置。
【請求項８】
複数の用紙を任意選択可能に処理する用紙処理装置の制御方法であって、
前記複数の用紙に対して用紙処理動作を選択指示する入力を待ち、
選択指示された前記用紙処理動作に関する実行条件を用紙１枚単位で設定する入力を待ち、
用紙１枚単位で設定された前記実行条件で前記複数の用紙を夫々処理する
ことを特徴とする用紙処理装置の制御方法。
【請求項９】
任意の用紙に画像を形成し、当該用紙を任意選択可能に処理する画像形成装置であって、
画像形成手段と、
前記画像形成手段により画像形成された複数の前記用紙を処理する処理手段と、
前記処理手段による複数の前記用紙に対する用紙処理動作を選択指示する指示手段と、
前記指示手段により選択指示された前記用紙処理動作に関する実行条件を用紙１枚単位で設定する設定手段と、
前記設定手段により設定された前記実行条件で複数の前記用紙を夫々処理するように前記処理手段による用紙処理動作を用紙毎に制御する制御手段と
を備えることを特徴とする画像形成装置。
【請求項１０】
前記設定手段は、複数の前記用紙に対する処理位置を用紙１枚単位で調整するための個別調整値を前記実行条件として設定する個別調整値設定手段を有し、
前記制御手段は、前記個別調整値設定手段により設定された前記個別調整値に基づいて前記処理手段による処理位置を調整する
ことを特徴とする請求項９に記載の画像形成装置。
【請求項１１】
前記設定手段は、前記処理位置を用紙サイズ毎に調整するための全体調整値を設定する全体調整値設定手段を有し、
前記制御手段は、
複数の前記用紙の中で、前記個別調整値設定手段により前記個別調整値が設定された用紙の処理位置を当該個別調整値に基づいて調整し、
前記個別調整値が設定されなかった用紙の処理位置を前記全体調整値に基づいて調整する
ことを特徴とする請求項１０に記載の画像形成装置。
【請求項１２】
前記個別調整値又は全体調整値を調整データとして記憶する記憶手段を更に備えることを特徴とする請求項１１に記載の画像形成装置。
【請求項１３】
前記処理手段は、複数の前記用紙に穴を開口する穿孔手段を有し、
前記制御手段は、複数の前記用紙に前記穿孔手段により穿孔処理を施す位置を前記個別調整値又は全体調整値に基づき調整する
ことを特徴とする請求項１１に記載の画像形成装置。
【請求項１４】
前記処理手段は、複数の前記用紙を折る折り手段を有し、
前記制御手段は、複数の前記用紙に前記折り手段により折り処理を施す位置を前記個別調整値又は全体調整値に基づき調整する
ことを特徴とする請求項１１に記載の画像形成装置。
【請求項１５】
前記処理手段は、複数の前記用紙を断裁する断裁手段を有し、
前記制御手段は、複数の前記用紙に前記断裁手段により断裁処理を施す位置を前記個別調整値又は全体調整値に基づき調整する
ことを特徴とする請求項１１に記載の画像形成装置。
【請求項１６】
任意の用紙に画像形成装置により画像を形成し、当該画像形成装置と通信手段で接続された用紙後処理装置により当該用紙を任意選択可能に後処理するシステムであって、  
前記画像形成装置は、
画像形成手段と、
前記画像形成手段により画像形成された複数の前記用紙に対して後処理動作を選択指示する指示手段と、
前記指示手段により選択指示された前記後処理動作に関する実行条件を用紙１枚単位で設定する設定手段と、
前記画像形成手段及び用紙後処理装置の動作を制御する第１の制御手段と
を備え、
前記用紙後処理装置は、
前記用紙を処理する処理手段と、
前記設定手段及び通信手段を介して前記第１の制御手段により設定された前記後処理動作に関する前記実行条件で複数の前記用紙を夫々処理するように前記処理手段による処理動作を用紙毎に制御する第２の制御手段と
を備える
ことを特徴とする画像形成システム。
【発明の詳細な説明】
【技術分野】
【０００１】
本発明は、印刷機、複写機及びこれらの複合機等に用いられる用紙処理装置、その制御方法、画像形成装置及び画像形成システムに関する。
【背景技術】
【０００２】
画像形成装置の付属装置として用いられる用紙後処理装置は、その機能が増加する傾向にあり、複数枚の用紙を揃えて綴じ処理及び折り処理を行い用紙束とした後に、この用紙束に断裁処理を施して小口を揃えたり、用紙に穿孔処理を施してファイル用の穴を開口したりできる機能が標準装備されるようになりつつある。
【０００３】
このような用紙後処理装置に関して、例えば、中綴じ処理及び中折り処理を施す位置を補正するための位置補正データを用紙サイズ毎に指定して入力し、この位置補正データに応じて処理位置を制御することによって、用紙上の正確な位置に用紙処理を施すことができるようにした技術が知られている。
【０００４】
この従来の用紙後処理装置（フィニッシャ）では、図８（ａ）に示すようなメニュー画面Ｐ１１において、例えば、「中折りストッパ位置調整」を選択する釦として「２」釦Ｂ１１を選択すると、図８（ｂ）に示すような中折りストッパ位置調整画面Ｐ１２が表示される。
【０００５】
中折りストッパ位置調整画面Ｐ１２では、表題「中折りストッパ位置調整」Ｔ１１が画面上部に表示され、この表題Ｔ１１の隣に用紙サイズ＜Ａ４Ｒ＞Ｎ１１が表示される。この用紙サイズ＜Ａ４Ｒ＞Ｎ１１は、中折りストッパ位置調整による折り位置設定の対象となる用紙のサイズを表す。
【０００６】
また、表題Ｔ１１下には、現在の中折りストッパ位置が、予め設定された初期位置から「−１０ｓｔｅｐ」即ち「−１．５ｍｍ」だけ移動するように補正されて設定されていることと、この初期位置を補正するための新たな位置調整代が、テンキーＢ２１から「＋１０ｓｔｅｐ」と入力されていることとが数値Ｎ１２で表示される。
【０００７】
ここで「設定」釦Ｂ２２を選択すると、数値Ｎ１２の左側の数値が右側の数値と一致するように更新され、Ａ４Ｒサイズの用紙に対して予め設定された初期位置からの位置調整代（位置補正データ）が「＋１０ｓｔｅｐ」即ち「＋１．５ｍｍ」に設定される。
【０００８】
この中折りストッパ位置調整画面Ｐ１２において、「次項目」釦Ｂ２３又は「前項目」釦Ｂ２４を選択すると、用紙のサイズ＜Ａ４Ｒ＞Ｎ１１が変更される。よって、中折りストッパ位置により決定される中折り位置を補正するための位置補正データを用紙サイズ毎に指定して入力することができるので、用紙サイズ毎の位置補正データに応じて中折りストッパを制御することによって、用紙の正確な位置に中折り処理を施すことが可能であった（特許文献１参照）。
【０００９】
【特許文献１】特開２０００−２１１８０５号公報（第１９図、段落番号［０１３２］乃至［０１３９］）
【発明の開示】
【発明が解決しようとする課題】
【００１０】
しかしながら、上述した特許文献１に記載の用紙後処理装置においては、用紙サイズ毎に位置補正データを入力して処理位置を設定していたので、同一サイズの用紙は全て同じ実行条件で処理されて出力された。従って、複数の用紙の中の特定の用紙に対する処理位置を変更することができず、用紙毎に処理位置をずらすこともできなかった。
【００１１】
本発明は、上記問題を解決し、用紙１枚単位で独立に設定された実行条件で処理された複数の用紙を出力することができる用紙処理装置、その制御方法、画像形成装置及び画像形成システムを提供することを目的とする。
【課題を解決するための手段】
【００１２】
上記課題を解決するために、本発明に係る用紙処理装置は、複数の用紙を任意選択可能に処理する処理手段と、この複数の用紙に対する処理手段による用紙処理動作を選択指示する指示手段と、この指示手段により選択指示された用紙処理動作に関する実行条件を用紙１枚単位で設定する設定手段と、この設定手段により設定された実行条件で複数の用紙を夫々処理するように処理手段による用紙処理動作を用紙毎に制御する制御手段とを備えることを特徴とする。
【００１３】
本発明に係る用紙処理装置によれば、複数の用紙を任意選択可能に処理する場合に、複数の用紙に対しての処理手段による用紙処理動作が指示手段により選択指示され、この指示手段により選択指示された用紙処理動作に関する実行条件が設定手段により用紙１枚単位で設定される。この設定手段により設定された実行条件で複数の用紙を夫々処理するように処理手段による用紙処理動作が制御手段により用紙毎に制御される。従って、用紙１枚単位で独立に設定された実行条件で複数の用紙を処理することができるので、これら複数の用紙に夫々異なる処理を施して出力することができる。
【００１４】
本発明に係る用紙処理装置の制御方法は、複数の用紙を任意選択可能に処理する用紙処理装置の制御方法であって、複数の用紙に対して用紙処理動作を選択指示する入力を待ち、ここに選択指示された用紙処理動作に関する実行条件を用紙１枚単位で設定する入力を待ち、用紙１枚単位で設定された実行条件で複数の用紙を夫々処理することを特徴とする。
【００１５】
本発明に係る用紙処理装置の制御方法によれば、用紙１枚単位で独立に設定された実行条件で複数の用紙を処理することができるので、これら複数の用紙に夫々異なる処理を施して出力することができる。
【００１６】
本発明に係る画像形成装置は、与えられた用紙に画像を形成し、この用紙を任意選択可能に処理する画像形成装置であって、画像形成手段と、この画像形成手段により画像形成された複数の用紙を処理する処理手段と、この複数の用紙に対しての処理手段による用紙処理動作を選択指示する指示手段と、この指示手段により選択指示された用紙処理動作に関する実行条件を用紙１枚単位で設定する設定手段と、この設定手段により設定された実行条件で複数の用紙を夫々処理するように処理手段による用紙処理動作を用紙毎に制御する制御手段とを備えることを特徴とする。
【００１７】
本発明に係る画像形成装置によれば、与えられた用紙に画像を形成し、この用紙を任意選択可能に処理する場合に、本発明に係る用紙処理装置が応用される。従って、画像形成手段により画像形成された複数の用紙を、用紙１枚単位で独立に設定された実行条件で処理することができるので、これら複数の用紙に夫々異なる処理を施して出力することができる。
【００１８】
本発明に係る画像形成システムは、与えられた用紙に画像形成装置により画像を形成し、この画像形成装置と通信手段で接続された用紙後処理装置によりこの用紙を任意選択可能に後処理するシステムであって、この画像形成装置は、画像形成手段と、この画像形成手段により画像形成された複数の用紙に対して後処理動作を選択指示する指示手段と、この指示手段により選択指示された後処理動作に関する実行条件を用紙１枚単位で設定する設定手段と、これら画像形成手段及び用紙後処理装置の動作を制御する第１の制御手段とを備え、この用紙後処理装置は、用紙を処理する処理手段と、設定手段及び通信手段を介して第１の制御手段により設定された実行条件で複数の用紙を夫々処理するように処理手段による処理動作を用紙毎に制御する第２の制御手段とを備えることを特徴とする。
【００１９】
本発明に係る画像形成システムによれば、与えられた用紙に画像形成装置により画像を形成し、この画像形成装置と通信手段で接続された用紙後処理装置によりこの用紙を任意選択可能に後処理する場合に、本発明に係る用紙処理装置が応用される。従って、画像形成装置により画像形成された複数の用紙を、用紙１枚単位で独立に設定された実行条件で処理することができるので、これら複数の用紙に夫々異なる処理を施して出力することができる。
【発明の効果】
【００２０】
本発明に係る用紙処理装置及びその制御方法によれば、複数の用紙を任意選択可能に処理する場合に、選択指示された複数の用紙に対する用紙処理動作に関して用紙１枚単位で設定された実行条件で複数の用紙を夫々処理するように用紙処理動作を用紙毎に制御するものである。
【００２１】
この構成によって、用紙１枚単位で独立に設定された実行条件で複数の用紙を処理することができるので、これら複数の用紙に夫々異なる処理を施して出力することができる。従って、穿孔位置、断裁位置又は折位置等の用紙処理位置を用紙１枚単位で変更することができると共に、特定の紙に対する処理内容を変更することもできるため、若干大きなサイズの表紙で内部を保護できると共に、ページのずれた部分を見出しとして使用可能で、かつ、容易にページを繰ることができるファイル等を簡単に作成できる。
【００２２】
本発明に係る画像形成装置及び画像形成システムによれば、与えられた用紙に画像を形成し、この用紙を任意選択可能に後処理する場合に、本発明に係る用紙処理装置を応用するものである。
【００２３】
従って、画像形成後の複数の用紙を、用紙１枚単位で独立に設定された実行条件で処理することができるので、これら複数の用紙に夫々異なる処理を施して出力することができる。よって、穿孔位置、断裁位置又は折位置等の用紙処理位置を用紙１枚単位で変更することができると共に、特定の紙に対する後処理内容を変更することもできるため、若干大きなサイズの表紙で内部を保護できると共に、ページのずれた部分を見出しとして使用可能で、かつ、容易にページを繰ることができるファイル等を簡単に作成できる。
【発明を実施するための最良の形態】
【００２４】
以下、添付の図面を参照しながら、本発明に係る用紙処理装置、その制御方法画像形成装置及び画像形成システムの実施に最良の形態について説明する。
［１］画像形成システム
本実施形態では、与えられた用紙に画像を形成し、この用紙を任意選択可能に後処理する場合に、選択指示された用紙処理動作に関して用紙１枚単位で設定された実行条件で複数の用紙を夫々処理するように用紙処理動作を用紙毎に制御する。これによって、画像形成後の複数の用紙に対する実行条件を用紙１枚単位で独立に設定できるので、これら複数の用紙に夫々異なる後処理を施して出力することができるようにしたものである。
【００２５】
本実施形態に係る画像形成システムは、任意の画像データに基づいて用紙上に画像を形成し、この画像形成された用紙に任意選択可能な後処理を施して出力する印刷機、複写機及びこれらの複合機等に適用して好適である。
【００２６】
図１は、本実施形態としての画像形成システム１の構成例を示すブロック図である。画像形成システム１は、公知の電子写真方式で任意の用紙上に画像を形成する画像形成装置１０と、画像形成装置１０から排出される用紙を任意選択可能に処理する後処理装置（フィニッシャ）５０とを備えて構成される。
【００２７】
画像形成装置１０は、記録紙収納手段１１、給送手段１４、搬送手段１５、シリアル通信手段１６ａ、画像データ記憶手段１７、画像形成手段１８、操作手段１９、調整データ記憶手段２２及びこれら複数の手段を制御する画像形成装置制御手段（第１の制御手段）２３を有して構成される。
【００２８】
記録紙収納手段１１は、有無検知手段１２と紙サイズ検知手段１３とを備え、画像形成手段１８により画像形成される記録媒体としての用紙（記録紙）を収納する。有無検知手段１２は、用紙が収納されているか否かを検知し、紙サイズ検知手段１３は、画像形成手段１８による画像形成前に、収納された用紙の用紙サイズをＡ３，Ｂ４，Ａ４Ｒ，Ａ３Ｗ，Ｂ４Ｗ若しくはＡ４ＷＲ又は１１×１７，８．５×１４，８．５×１１Ｒ，１１×７Ｗ若しくは８．５×１１ＷＲのように検知するセンサであって、反射型光センサ等を用いて構成することができる。
【００２９】
給送手段１４は、記録紙収納手段１１から画像形成手段１８までを結ぶ用紙搬送路に設置された複数の給送ローラ等から構成され、記録紙収納手段１１に収納された複数の用紙の上部から用紙を１枚ずつ繰り出し、これら複数の用紙を１枚ずつ連続して画像形成手段１８に給送する。
【００３０】
搬送手段１５は、第１搬送手段１５ａと第２搬送手段１５ｂとを有し、第１搬送手段１５ａは、画像形成手段１８により画像形成された用紙を排紙ローラ（図示せず）により排出する場合に使用され、第２搬送手段１５ｂは用紙の両面に画像形成する場合に、片面に画像形成された用紙を反転させて画像形成手段１８に返送するために使用される。
【００３１】
シリアル通信手段１６ａは、画像形成装置１０と後処理装置５０とを双方向通信可能に接続する通信手段である。
【００３２】
画像データ記憶手段１７は、ＤＲＡＭ（Dynamic Random Access Memory）等の高速動作可能な電子記録媒体とＨＤＤ（Hard Disk Drive）のような大容量磁気記録媒体とから構成され、用紙上に画像形成するための画像データを記憶する。
【００３３】
画像形成手段１８は、画像データ記憶手段１７に記憶された画像データに基づいて、記録紙収納手段１１から給送される用紙上に電子写真方式で画像を形成する。
【００３４】
操作手段１９は、液晶表示装置（ＬＣＤ：Liquid Crystal Display）のような画像表示機能を備えた表示手段２１と、ＬＣＤ等の表示画面上に配置された透明タッチパネル、キーボード及びマウス等の入力手段２０とを備え、例えば、表示画面上に表示される設定釦等が押圧されるように操作されることにより各種の設定及び情報入力が行われるタッチパネル方式の入力機能を備えたユーザ・インタフェイスである。
【００３５】
この操作手段１９は、画像形成された複数の用紙に対して後処理動作を選択指示する指示手段として機能すると共に、選択指示された後処理動作に関する実行条件を用紙１枚単位で設定する設定手段としても機能する。また、この操作手段１９は、複数の用紙に対する処理位置を用紙１枚単位で調整するための個別調整値を、後処理動作に関する実行条件として設定する個別調整値設定手段と、複数の用紙に対する処理位置を用紙サイズ毎に調整するための全体調整値を設定する全体調整値設定手段とを有する。
【００３６】
調整データ記憶手段２２は、フラッシュメモリのような不揮発性メモリ等で構成され、操作手段１９により用紙１枚単位で設定された実行条件、即ち、用紙に対する処理位置を用紙１枚単位で調整するための個別調整値と、処理位置を用紙サイズ毎に調整するための全体調整値とを調整データとして一時的に記憶（保持）する。
【００３７】
画像形成装置制御手段２３は、記録紙収納手段１１の有無検知手段１２及び紙サイズ検知手段１３と、給送手段１４と、搬送手段１５と、シリアル通信手段１６ａと、画像データ記憶手段１７と、画像形成手段１８と、操作手段１９の入力手段２０及び表示手段２１と、調整データ記憶手段２２と夫々接続され、これら複数の手段を制御することにより画像形成装置１０の全体及び後処理装置５０との連携動作を制御する。
【００３８】
後処理装置５０は、本発明に係る用紙処理装置を応用したものであって、上述したように構成された画像形成装置１０とシリアル通信手段１６ａ，１６ｂを介して通信可能に接続されると共に、画像形成装置１０と機械的にも接続されて、画像形成装置１０から排紙ローラにより排出される用紙を受け取ることができるように構成される。
【００３９】
この後処理装置５０は、シリアル通信手段１６ｂ、ＪＯＢ全体調整データ記憶手段５１、紙１枚単位調整データ記憶手段５２、穿孔手段５３、中折り手段５４、断裁手段５５、搬送手段５６、集積手段５７、スタック整合手段５８、綴じ手段５９及びこれら複数の手段を制御する後処理装置制御手段（第２の制御手段）６０を有して構成される。
【００４０】
シリアル通信手段１６ｂは、後処理装置５０と画像形成装置１０とを双方向通信可能に接続する通信手段であって、画像形成装置制御手段２３と後処理装置制御手段６０との間での各種データ交換を媒介する。
【００４１】
ＪＯＢ全体調整データ記憶手段５１は、フラッシュメモリのような不揮発性メモリからなる記録媒体であって、調整データ記憶手段２２に一時的に保持（保存）された全体調整データをシリアル通信手段１６を介して取得し記憶（保存）する。
【００４２】
紙１枚単位調整データ記憶手段５２も、ＪＯＢ全体調整データ記憶手段５１と同様に、不揮発性メモリからなる記録媒体であって、調整データ記憶手段２２に一時的に保持された個別調整データをシリアル通信手段１６を介して取得し記憶する。
【００４３】
穿孔手段５３は、画像形成装置１０から排出されて搬送手段５６により搬送された用紙等を停止させる穿孔ストッパと、この穿孔ストッパにより停止固定された用紙に穴を開口する穿孔刃とを有し、この用紙等にパンチ穴を開口する穿孔処理を施す。なお、用紙等とは、用紙と複数の用紙を綴じ合わせた用紙束とを包含した表現である。
【００４４】
中折り手段５４は、画像形成装置１０から排出されて搬送手段５６により搬送された用紙等を停止させる中折りストッパと、この中折りストッパにより停止固定された用紙等の中央部を押し上げて屈曲させる突出手段と、この突出手段により曲げられた用紙等を挟圧して折目を付ける折ローラとを有し、この用紙等に対して折り処理を施す。
【００４５】
断裁手段５５は、画像形成装置から排出されて搬送手段５６により搬送された用紙等を停止させる断裁ストッパと、この断裁ストッパにより停止固定された用紙等を断裁する断裁手段とを有し、この用紙等に断裁処理を施す。
【００４６】
搬送手段５６は、第１搬送手段５６ａと第２搬送手段５６ｂとを有する。この第１搬送手段５６ａは、後処理装置５０による後処理が選択指示されなかった用紙を画像形成装置１０の排紙ローラを介して受け取り第１集積手段５７ａに搬送する。また、第２搬送手段５６ｂは、後処理装置５０による後処理が選択指示された用紙を第２集積手段５７ｂに搬送する。
【００４７】
集積手段５７は、上述したように、後処理が選択指示されなかった用紙を集積する第１集積手段５７ａと、後処理が選択指示された用紙等を集積する第２集積手段５７ｂとを有し、画像形成手段１０から排出された用紙等を集積する。
【００４８】
スタック整合手段５８は、複数の用紙を一時的に積載する中間スタッカと、この中間スタッカに集積された複数の用紙の搬送方向と平行する側縁を軽打して幅整合を行う幅整合手段とを有し、画像形成後の用紙と外部から搬入される表紙用の特別紙等とを含む所定枚数の用紙を揃える。
【００４９】
綴じ手段５９は、スタック整合手段５８と隣接するように設置され、スタック整合手段５８により揃えられた所定枚数の用紙に綴じ針を打ち込み、この所定枚数の用紙を綴じ合わせて用紙束とする。
【００５０】
これらスタック整合手段５８により整合され、綴じ手段５９により綴じ合わされた用紙束又は用紙に、穿孔手段５３により必要に応じてパンチ穴を開口して断裁手段５５に搬入できるように、スタック整合手段５８、綴じ手段５９、中折り手段５４、穿孔手段５３及び断裁手段５５は、搬送手段５６により連結される。これにより後処理装置５０は、画像形成装置１０から排出される用紙に対して、スタック整合手段５８、綴じ手段５９、中折り手段５４、穿孔手段５３及び断裁手段５５による任意の後処理を順不同で施すことができるようになる。
【００５１】
後処理装置制御手段６０は、シリアル通信手段１６ｂ、ＪＯＢ全体調整データ記憶手段５１、紙１枚単位調整データ記憶手段５２、穿孔手段５３、中折り手段５４、断裁手段５５、搬送手段５６、集積手段５７、スタック整合手段５８及び綴じ手段５９と夫々接続される。
【００５２】
この後処理装置制御手段６０は、シリアル通信手段１６を介して画像形成装置制御手段２３と通信することによって、操作手段１９から入力されシリアル通信手段１６を介して画像形成装置制御手段２３により設定された実行条件で複数の用紙を夫々処理するように処理手段、即ち、穿孔手段５３、中折り手段５４、断裁手段５５及び綴じ手段５９による処理動作を用紙毎に制御する。
【００５３】
このように構成された画像形成システム１において、電源投入時又は電源投入後に表示される初期画面において予め規定されたキー操作を行うことによって、後処理装置５０に対して各種の調整値を設定する調整値設定モードで画像形成システム１を立ち上げると、従来の用紙後処理装置と同様に、表示手段２１によりメニュー画面Ｐ１１が表示される。
【００５４】
このメニュー画面Ｐ１１で、例えば、「パンチ穴位置調整」を選択するための「５」釦Ｂ１２を指定するように入力手段２０を操作すると、この指定入力が入力手段２０から画像形成装置制御手段２３に送出される。画像形成装置制御手段２３は、穿孔ストッパ位置の設定によるパンチ穴位置調整が選択されたと判断して穿孔ストッパ位置の設定を開始する。これによりパンチ穴位置調整動作が開始され、図２に示すようなパンチ穴位置調整画面Ｐ１に表示が切り換えられる。
【００５５】
パンチ穴位置調整画面Ｐ１は、選択された設定動作を表示する表題領域Ａ１と、この表題領域Ａ１に表示された設定動作で選択可能な設定モードを表示する設定モード表示領域Ａ２と、この設定モード表示領域Ａ２に表示された設定モードの中から使用する設定モードを選択指定するための釦群を表示する領域Ａ３と、個別調整値を数値入力する個別調整指定モードにおいて個別調整値の設定対象となる用紙を特定するために使用される釦群を表示する領域Ａ４と、ジョブ（ＪＯＢ）として一連処理される複数の用紙全体に対して用紙サイズ毎に処理位置を調整するための全体調整値を数値入力するＪＯＢ全体調整設定モード及び個別調整指定モードで調整値の数値入力に使用される釦群を表示する領域Ａ５と、これら２つの設定モードで共通使用される釦群を表示する領域Ａ６とを分割表示する。
【００５６】
このパンチ穴位置調整画面Ｐ１において、画面上部の表題領域Ａ１には、表題「パンチ穴位置調整」Ｔ１と、調整値設定の対象として現在選択されている用紙サイズ＜Ａ４Ｒ＞Ｎ１とが表示され、Ａ４Ｒサイズの用紙（転写紙）に対してパンチ穴位置を調整するための選択画面であることが明示される。
【００５７】
設定モード表示領域Ａ２は表題領域Ａ１下に設けられ、この設定モード表示領域Ａ２には、表題「ＪＯＢ全体調整数値  入力設定」Ｔ２及び「個別調整指定数値  入力設定」Ｔ３とが表示される。また、これらの表題Ｔ２，Ｔ３の何れか一方に選択記号「◎」Ｎ２が、例えば、図示のように表示され、ＪＯＢ全体調整設定モード又は個別調整指定モードの何れか一方の設定モードが選択されていることが明示される。ここでは、表題「ＪＯＢ全体調整数値  入力設定」Ｔ２に選択記号「◎」Ｎ２が付与されているので、ＪＯＢ全体調整設定モードが選択されていることを容易に視認することができる。
【００５８】
これらの表題「ＪＯＢ全体調整数値  入力設定」Ｔ２及び「個別調整指定数値  入力設定」Ｔ３に隣接して、これらＪＯＢ全体調整設定モード又は個別調整指定モードでの現在設定値Ｎ３が、［＋１０］又は［−］のように表示される。なお、この記号［−］は、一度も設定がなされていないことを表す。この現在設定値Ｎ３に隣接して、新たに入力された設定値Ｎ４が表示される。ここで新たな設定値Ｎ４として表示された文字列「＊＊＊」は、まだ入力がなされていないことを表す。このように現在設定値と新たな設定値とを隣接させて表示することによって、これらの設定値を比較確認しながら全体調整値又は個別調整値を設定することができる。
【００５９】
また、表題「個別調整指定数値  入力設定」Ｔ３の隣には、個別調整指定モードにおいて個別調整値を設定する用紙として特定された用紙の順位＜１枚目＞Ｎ５が表示される。これによって、設定対象となる用紙を確認しながら個別調整値を入力設定できるので、誤った順位の用紙に他の用紙に設定するはずであった個別調整値を設定するような誤設定を低減することができる。
【００６０】
表示領域Ａ３は設定モード表示領域Ａ２下に設けられ、この表示領域Ａ３には、個別調整指定モードを選択するための「個別調整指定数値  入力設定」釦Ｂ１と、ＪＯＢ全体調整設定モードを選択するための「ＪＯＢ全体調整数値  入力設定」釦Ｂ２とが表示される。
【００６１】
表題「ＪＯＢ全体調整数値  入力設定」Ｔ２に選択記号「◎」Ｎ２が付与されている状態で、「個別調整指定数値  入力設定」釦Ｂ１を選択すると、画像形成装置制御手段２３により個別調整指定モードが選択され、設定モード表示領域Ａ２に表示された表題「個別調整指定数値  入力設定」Ｔ３に選択記号「◎」Ｎ２が移動するように表示が切り換えられる。
【００６２】
表示領域Ａ４は表示領域Ａ３左下に設けられ、この表示領域Ａ４には、個別調整値を数値入力する個別調整指定モードで個別調整値を設定する用紙の順位を特定するために使用されるテンキーＢ３が表示される。個別調整指定モードが選択されている状態で、例えば、テンキーＢ３により数値「５」を入力すると、用紙の順位＜１枚目＞Ｎ５が「５枚目」に変更するように表示が切り換えられ、ここで「枚数設定」Ｂ３ａを選択すると、この「５枚目」の用紙に対する個別調整値を設定できるようになる。
【００６３】
表示領域Ａ５は表示領域Ａ３右下に設けられ、この表示領域Ａ５には、個別調整指定モード及びＪＯＢ全体調整設定モードの両方の設定モードにおいて、個別調整値又は全体調整値の何れかを数値入力するために使用されるテンキーＢ４が表示される。
【００６４】
表示領域Ａ６は表示領域Ａ４，Ａ５下に設けられ、この表示領域Ａ６には、調整値設定対象となる用紙のサイズを選択するためのボタンＢ５ａ，Ｂ５ｂと、調整値設定モードを終了するための釦Ｂ６とが表示される。
【００６５】
ここで「次項目」釦Ｂ５ａ又は「前項目」釦Ｂ５ｂの何れかを選択するように入力手段２０を操作する度に、調整値設定対象となる用紙のサイズが変更され、表題領域Ａ１に表示された用紙サイズ＜Ａ４Ｒ＞Ｎ１が更新されるように表示が切り換えられる。また、「パンチ穴位置調整終了」釦Ｂ６を選択すると、パンチ穴位置調整動作が終了され、パンチ穴位置調整画面Ｐ１からメニュー画面Ｐ１１に表示が切り換えられる。
【００６６】
このように分割表示されたパンチ穴位置調整画面Ｐ１において、例えば、「個別調整指定数値  入力設定」釦Ｂ１の選択により個別調整指定モードを選択した場合、即ち、表題「個別調整指定数値  入力設定」Ｔ３に選択記号「◎」Ｎ２が付与されているとき、用紙の順位＜１枚目＞Ｎ５が表示された状態で、テンキーＢ４を用いて「＋１５」と入力すると、この数値「＋１５」が、表題「個別調整指定数値  入力設定」Ｔ３に対応する位置に表示された文字列「＊＊＊」Ｎ４に替えて、新たに入力された個別調整値として表示される。なお、「＋」記号及び「−」記号は、「＋⇔−」釦Ｂ４ｂを選択することにより入力することができる。
【００６７】
ここに入力した個別調整値「＋１５」が表示された状態で「調整値設定」釦Ｂ４ａを選択すると、現在設定値［−］Ｎ３が新たな個別調整値「＋１５」に更新されるように表示が切り換えられる。また、この新たな個別調整値「＋１５」が１枚目の用紙に対する穿孔処理動作の実行条件（処理条件）として設定されるように、個別調整データとして調整データ記憶手段２２に記憶される。
【００６８】
このような調整値入力及び記憶処理とテンキーＢ３による用紙の順位設定とを繰り返すことによって、メニュー画面Ｐ１１で選択指示した用紙処理動作、即ち、穿孔処理動作に関する実行条件としての調整値を、用紙１枚単位で設定することができる。従って、操作手段１９は、複数の用紙に対する処理位置を用紙１枚単位で調整するための個別調整値を実行条件として設定する個別調整値設定手段を有することになる。
【００６９】
なお、上述したように、用紙の順位設定とは、何枚目の用紙に対しての調整値入力かを特定するために、テンキーＢ３から用紙の順位（順番）を、例えば、「１」と入力することによって、＜１枚目＞Ｎ５の用紙を指定することをいう。
【００７０】
ＪＯＢ全体調整設定モードが選択された場合も同様に、表題「ＪＯＢ全体調整数値  入力設定」Ｔ２に選択記号「◎」Ｎ２が付与されているとき、テンキーＢ４を用いて、例えば、「＋５」と入力すると、この数値「＋５」が、表題「ＪＯＢ全体調整数値  入力設定」Ｔ２に対応する位置に表示された文字列「＊＊＊」Ｎ４に替えて、新たに入力された全体調整値として表示される。
【００７１】
ここに入力した全体調整値「＋５」が表示された状態で「調整値設定」釦Ｂ４ａを選択すると、現在設定値［＋１０］Ｎ３が、新たな全体調整値「＋５」に更新されるように表示が切り換えられる。また、この新たな全体調整値「＋５」が、用紙サイズ＜Ａ４Ｒ＞Ｎ１に対する穿孔処理動作の実行条件として設定されるように、全体調整データとして調整データ記憶手段２２に記憶される。
【００７２】
これによって、メニュー画面Ｐ１１で選択指示した用紙処理動作、即ち、穿孔処理動作に関する実行条件としての調整値を、ＪＯＢ単位で用紙サイズ毎に設定することができる。従って、操作手段１９は、複数の用紙に対する処理位置を用紙サイズ毎に調整するための全体調整値を設定する全体調整値設定手段を有することになる。
【００７３】
また、ＪＯＢ全体調整設定モードで用紙サイズ毎に処理条件を設定した後、個別調整指定モードに移行して特定順位の用紙に対して個別調整値を設定することによって、所望の用紙に対する処理条件のみを変更することもできる。
【００７４】
従って、任意のＪＯＢで処理対象となる全用紙に対して１枚単位で全て異なる処理条件を設定する場合には、個別調整指定モードで全用紙に対して個別調整値を夫々設定することができる一方、処理対象となる全用紙の中から特定用紙を抽出して残りの用紙とは異なる処理条件を設定する場合には、ＪＯＢ全体調整設定モードで全用紙に対して全体調整値を設定した後に、個別調整指定モードに移行して特定用紙に対する処理条件を変更することができる。
【００７５】
このようにパンチ穴位置調整画面Ｐ１においてＪＯＢの処理条件となる個別調整値又は全体調整値を設定した後、「パンチ穴位置調整終了」釦Ｂ６を選択すると、この選択が入力手段２０から画像形成装置制御手段２３に送出される。
【００７６】
画像形成装置制御手段２３は、穿孔ストッパ位置の設定によるパンチ穴位置調整の終了が選択されたと判断し、パンチ穴位置の調整を終了する。これによりパンチ穴位置調整動作が終了され、パンチ穴位置調整画面Ｐ１からメニュー画面Ｐ１１に表示が切り換えられる。
【００７７】
このメニュー画面Ｐ１１の「前画面」釦Ｂ１３を選択するように入力手段２０から入力操作することによって、通常の画像形成モードに移行して画像形成に関する設定入力画面（図示せず）に表示が切り換えられる。この設定入力画面（初期画面）において、画像形成動作の開始を入力手段２０を介して指示すると、画像形成装置制御手段２３による制御下で画像形成動作が開始され、先ず、画像形成装置１０及び後処理装置５０の各機能における初期化処理が実行される。
【００７８】
この初期化処理の際に、パンチ穴位置調整画面Ｐ１で設定され調整データ記憶手段２２に記憶された個別調整データ及び全体調整データが読み出されて後処理装置制御手段６０に送出される。後処理装置制御手段６０は、この画像形成装置制御手段２３から送出された個別調整データ及び全体調整データをシリアル通信手段１６を介して受信し、個別調整データを紙１枚単位調整データ記憶手段５２に、また、全体調整データをＪＯＢ全体調整データ記憶手段５１に夫々記憶する。
【００７９】
後処理装置制御手段６０は、画像形成手段１８により画像形成された用紙の排出信号を受信する度に、この排出された用紙に対して設定された個別調整データ又は全体調整データを紙１枚単位調整データ記憶手段５２又はＪＯＢ全体調整データ記憶手段５１から読み出して、ここに読み出された調整データに従って、画像形成装置制御手段２３により設定された調整値、即ち、個別調整値又は全体調整値で複数の用紙を夫々処理するように穿孔手段５３を用紙毎に制御する。
【００８０】
具体的には、後処理装置制御手段６０は、穿孔手段５３が有する穿孔ストッパの用紙搬送路上における初期位置に個別調整データ又は全体調整データに基づく調整を施すことによって、この穿孔ストッパにより停止固定される用紙と穿孔刃との位置関係を調整するように用紙毎に制御する。
【００８１】
これによって、搬送手段５６により搬送されて穿孔ストッパにより停止固定される用紙と穿孔刃との相対位置を規定することができるので、個別調整データ又は全体調整データに基づく調整を施して穿孔ストッパ位置を設定することによって、穿孔位置（パンチ穴位置）を適切に調整して穿孔処理を実行することができる。
【００８２】
従って、画像形成装置制御手段２３は、個別調整指定モードが選択された場合には、個別調整値設定手段により設定された個別調整値に基づいて穿孔手段５３による穿孔位置を調整し、ＪＯＢ全体調整設定モードが選択された場合には、複数の用紙の中で、個別調整値設定手段により個別調整値が設定された用紙の穿孔位置をこの個別調整値に基づいて調整すると共に、個別調整値が設定されなかった残りの用紙の穿孔位置を全体調整値に基づいて調整することができる。
【００８３】
このため、複数の用紙に穿孔手段５３により穿孔処理を施す位置を個別調整値又は全体調整値に基づき調整することができるので、複数の用紙の夫々異なる位置に穿孔処理を施すことができる。よって、異なる位置にパンチ穴が開口された複数の用紙を連続して出力することができる。
【００８４】
なお、ここでは穿孔処理を例にして説明したが、中折り手段５４による折り処理、断裁手段５５による断裁処理及び綴じ手段５９による綴じ処理であっても、各手段において用紙を停止固定させるストッパ位置に個別調整データ又は全体調整データに基づく調整を施すことによって、中折り手段５４により折り処理を施す位置、断裁手段５５により断裁処理を施す位置又は綴じ手段５９により綴じ処理を施す位置を個別調整値又は全体調整値に基づき調整することができるので、この用紙に処理を施す位置を用紙１枚単位で変更することができると共に、特定の紙に対する処理内容を変更して出力することもできる。
【００８５】
次に、本発明に係る用紙処理装置の制御方法として、上述した画像形成システム１による用紙処理動作について、図３乃至６のチャートを参照しながら説明する。図３は、画像形成装置１０と後処理装置５０との間での調整データの送受信例を示すシーケンスチャートであり、図４は、画像形成システム１による調整値の設定例を示すフローチャートであり、図５は、全体調整値の設定例を示すフローチャートであり、図６は、個別調整値の設定例を示すフローチャートである。
【００８６】
（１）全体調整値に基づく制御方法
この全体調整値に基づく制御方法では、メニュー画面Ｐ１１で「パンチ穴位置調整」を選択するための「５」釦Ｂ１２等を指定するように入力手段２０を操作することによって、複数の用紙に対して穿孔（パンチ）処理等の用紙処理動作を選択指示し、ここで選択指示された用紙処理動作に関する実行条件を、特定の用紙に対する個別調整値と、特定の用紙以外の用紙全体に対する全体調整値として設定入力することを前提とする。
【００８７】
このとき画像形成装置制御手段２３と後処理装置制御手段６０とは、画像形成とこれに続く用紙処理からなるジョブを、図３に示すシーケンスチャートに沿って協調制御し、画像形成装置制御手段２３は、図４及び５に示すフローチャートに沿って全体調整値及び個別調整値の設定動作を制御するものとする。
【００８８】
この前提条件の下で、図３に示すシーケンスチャートのステップＳ１１で、画像形成システム１の電源をオン（ＯＮ）状態として電力を投入すると、画像形成装置制御手段２３は、表示手段２１により初期画面（図示せず）を表示し、複数の用紙に対して用紙処理動作を選択指示する入力を待つ。
【００８９】
この初期画面でメニュー画面Ｐ１１の表示を選択すると、ステップＳ１２で、画像形成装置制御手段２３は、画像形成システム１を制御するための各種調整値を設定する調整値設定モードで画像形成システム１を立ち上げ、ステップＳ１３で、表示手段２１によりメニュー画面Ｐ１１を表示して調整データ設定処理を、図４に示すフローチャートに沿って実行する。
【００９０】
ここで図４に示すフローチャートに移行して、ステップＳ１０１で、メニュー画面（調整メニュー一覧画面）Ｐ１１に表示を切り換えると共に、画像形成される複数の用紙に対して用紙処理動作を選択指示する入力を待つ。
【００９１】
次のステップＳ１０２で、「パンチ穴位置調整」を指定するための「５」釦Ｂ１２の選択によりパンチ穴位置調整（穿孔位置調整）が指定され、用紙処理動作として穿孔処理が選択指示された場合、ステップＳ１０５に進み、穿孔位置調整データ設定処理を実行するために、図５に示すサブルーチンをコールする。
【００９２】
ここで、図５に示すサブルーチンに移行して、ステップＳ２０１で、パンチ穴位置調整画面Ｐ１に表示を切り換え、表題「ＪＯＢ全体調整数値  入力設定」Ｔ２に選択記号「◎」Ｎ２を表示してＪＯＢ全体調整設定モードにあることを明示すると共に、選択指示された用紙処理動作、即ち、穿孔処理動作に関する実行条件として全体調整値を用紙サイズ毎に設定する入力を待つ。
【００９３】
ステップＳ２０２で、調整終了釦Ｂ６を押下（選択）するように操作手段１９が操作された場合、穿孔位置調整データを更新せずに、図４に示したフローチャートのステップＳ１０５に戻り、穿孔位置調整データ設定処理を終了する。調整終了釦Ｂ６が選択されなかった場合、次のステップＳ２０３に進み、転写紙（用紙）サイズ設定釦Ｂ５ａ，Ｂ５ｂが押下された場合、次のステップＳ２０４で、転写紙サイズＮ１を更新するようにパンチ穴位置調整画面Ｐ１の表示を切り換えてからステップＳ２０５に進む。転写紙サイズ設定釦Ｂ５ａ，Ｂ５ｂが選択されなかった場合、ステップＳ２０４をスキップしてステップＳ２０５に進む。
【００９４】
ステップＳ２０５で、「個別調整指定数値  入力設定」釦Ｂ１、即ち、個別調整指定モード移行釦が押下（選択）されなかった場合、ステップＳ２０６に進み、ＪＯＢ全体調整設定モードでの全体調整値の入力を待ち、ここでテンキーＢ４からパンチ穴位置を調整するための調整値が入力されて「調整値設定」釦Ｂ４ａが選択された場合、ステップＳ２０７に進み、選択された転写紙サイズの用紙に対して設定された全体調整値をＪＯＢ全体調整データとして調整データ記憶手段２２に記憶してステップＳ２０２に戻る。このステップＳ２０２乃至ステップＳ２０７のループを繰り返すことにより複数種類の転写紙サイズの用紙に対して全体調整値を設定する。
【００９５】
そして、ステップＳ２０２で、調整終了釦Ｂ６が選択されると、図４に示したフローチャートのステップＳ１０５に戻り、メニュー画面Ｐ１１に表示を切り替え、調整データ記憶手段２２に穿孔位置調整データが記憶されて穿孔位置調整データ設定処理が終了しているので、図３に示したシーケンスチャートのステップＳ１３に戻る。
【００９６】
ステップＳ２０５で、個別調整指定モード移行釦Ｂ１が押下された場合、ステップＳ２０８に進み、調整終了釦Ｂ６が押下されなかった場合、次のステップＳ２０９に進み、転写紙サイズ設定釦Ｂ５ａ，Ｂ５ｂが押下された場合、次のステップＳ２１０で、転写紙サイズＮ１を更新するようにパンチ穴位置調整画面Ｐ１の表示を切り換えてからステップＳ２１１に進む。転写紙サイズ設定釦Ｂ５ａ，Ｂ５ｂが選択されなかった場合、ステップＳ２１０をスキップしてステップＳ２１１に進む。
【００９７】
このステップＳ２１１で、個別調整値を設定する特定の用紙の順位Ｎ５を変更するように、テンキーＢ３により枚数入力がなされて「枚数設定」釦Ｂ３ａが選択された場合、ステップＳ２１２に進み、入力された設定枚数目を用紙の順位Ｎ５に、例えば、「ｎ枚目」等と表示するようにパンチ穴位置調整画面Ｐ１の表示を切り換えてからステップＳ２１３に進む。テンキーＢ３による枚数入力がなかった場合、ステップＳ２１２をスキップしてステップＳ２１３に進む。
【００９８】
ステップＳ２１３で、テンキーＢ４からパンチ穴位置を調整するための個別調整値が入力されて「調整値設定」釦Ｂ４ａが選択された場合、ステップＳ２１４に進み、用紙順位「ｎ枚目」に対して設定された個別調整値を「ｎ枚目」の用紙に対する穿孔位置調整データとして調整データ記憶手段２２に記憶してステップＳ２０８に戻る。このステップＳ２０８乃至ステップＳ２１４のループを繰り返すことによって、例えば、「ｎ枚目」及び「ｍ枚目」の用紙に対する個別調整値の設定を用紙１枚単位で実行する。
【００９９】
ステップＳ２１３で、個別調整値の入力がない場合、ステップＳ２０８に戻り、調整終了釦Ｂ６が選択されると、図４に示したフローチャートのステップＳ１０５に戻り、メニュー画面Ｐ１１に表示を切り替え、調整データ記憶手段２２に穿孔位置調整データが記憶されて穿孔位置調整データ設定処理が終了しているので、図３に示したシーケンスチャートのステップＳ１３に戻る。
【０１００】
ステップＳ１０２で、穿孔位置調整が選択されなかった場合、ステップＳ１０３に進み、「中折りストッパ位置調整」を選択するための「２」釦Ｂ１１の指定により用紙処理動作として折り処理が選択指示された場合、ステップＳ１０６に進み、折り位置調整データ設定処理を実行するために、図５に示すサブルーチンをコールし、穿孔位置調整が選択された場合と同様にして、折り位置調整データ設定処理を実行してからステップＳ１０６に戻ってメニュー画面Ｐ１１を表示し、調整データ記憶手段２２に折り位置調整データが記憶されて折り位置調整データ設定処理が終了しているので、図３に示したシーケンスチャートのステップＳ１３に戻る。
【０１０１】
ステップＳ１０３で、折り位置調整が選択されなかった場合、ステップＳ１０４に進み、「断裁ストッパ位置調整」を選択するための「４」釦Ｂ１４の指定により用紙処理動作として断裁処理が選択指示された場合、ステップＳ１０７に進み、断裁位置調整データ設定処理を行うために、図５に示すサブルーチンをコールし、穿孔位置調整が選択された場合と同様にして、断裁位置調整データ設定処理を実行してからステップＳ１０７に戻ってメニュー画面Ｐ１１を表示し、調整データ記憶手段２２に断裁位置調整データが記憶されて断裁位置調整データ設定処理が終了しているので、図３に示したシーケンスチャートのステップＳ１３に戻る。
【０１０２】
このようにステップＳ１３で、穿孔位置調整データ、折り位置調整データ又は断裁位置調整データの設定処理が実行され、ステップＳ１４で、メニュー画面Ｐ１１の「前画面」釦Ｂ１３を選択して初期画面（図示せず）に戻り、この初期画面から通常のコピーモードで画像形成システム１を立ち上げなおす。
【０１０３】
このコピーモードの選択によって、ステップＳ１５で、画像形成装置制御手段２３から後処理装置制御手段６０への初期通信が開始され、ステップＳ１６で、後処理装置制御手段６０から画像形成装置制御手段２３に向けて初期通信応答が返信される。これにより画像形成装置制御手段２３と後処理装置制御手段６０とは、画像形成システム１による全ての動作を協調制御できるようになる。
【０１０４】
コピーモードで入力手段２０からコピースタートが指示されると、画像形成装置制御手段２３は、ステップＳ１７で、コピー動作をスタートし、ステップＳ１８で、コピースタート信号を後処理装置制御手段６０に送出すると共に、ＪＯＢ全体調整データとｎ枚目及びｍ枚目の用紙に対して設定された個別（特定）調整データとを調整データ記憶手段２２から読み出して後処理装置制御手段６０に送信する。
【０１０５】
後処理装置制御手段６０は、このコピースタート信号の受信をトリガとして、ステップＳ１９で、コピースタート時初期化処理を実行する。この初期化処理の一動作として、後処理装置制御手段６０は、画像形成装置制御手段２３から与えられたＪＯＢ全体調整データをＪＯＢ全体調整データ記憶手段５１に、また、ｎ枚目及びｍ枚目の用紙に対して設定された個別調整データを紙１枚単位調整データ記憶手段５２に記憶する。
【０１０６】
後処理装置制御手段６０による初期化処理で用紙サイズの不備のような異常が検出されなかった場合、画像形成装置制御手段２３はコピー動作を継続し、ステップＳ２０で、任意の画像がコピーされた１枚目の用紙が後処理装置５０に排出され、ステップＳ２１で、１枚目の用紙の紙排出信号が、画像形成装置制御手段２３から後処理装置制御手段６０に送出される。
【０１０７】
後処理装置制御手段６０は、ステップＳ２２で、この紙排出信号に同期させて１枚目の用紙の受取り処理を実行すると共に、この１枚目の用紙に対して設定された全体調整値（ＪＯＢ全体調整データ）をＪＯＢ全体調整データ記憶手段５１から読み出し、この１枚目の用紙の処理位置を全体調整値に基づいて調整し、このＪＯＢ全体調整データに従って後処理を実施する。
【０１０８】
ステップＳ２３で、１枚目の用紙と同様に、任意の画像がコピーされた２枚目の用紙が後処理装置５０に排出され、ステップＳ２４で、２枚目の用紙の紙排出信号が、画像形成装置制御手段２３から後処理装置制御手段６０に送出され、後処理装置制御手段６０は、ステップＳ２５で、２枚目の用紙の紙排出信号に同期させて２枚目の用紙の受取り処理を実行すると共に、この２枚目の用紙に対して設定された全体調整値をＪＯＢ全体調整データ記憶手段５１から読み出し、この２枚目の用紙の処理位置を全体調整値に基づいて調整し、このＪＯＢ全体調整データに従って後処理を実施する。
【０１０９】
次に、ステップＳ２６で、任意の画像がコピーされたｎ枚目の用紙が後処理装置５０に排出され、ステップＳ２７で、ｎ枚目の用紙の紙排出信号が、画像形成装置制御手段２３から後処理装置制御手段６０に送出されると、このｎ枚目の用紙に対しては個別調整値が設定されているので、後処理装置制御手段６０は、ステップＳ２８で、このｎ枚目の用紙の受取り処理を実行すると共に、このｎ枚目の用紙に対して設定された個別調整値を紙１枚単位調整データ記憶手段５２から読み出し、ここで読み出されたｎ枚目の用紙に対する調整値に基づいてｎ枚目の用紙の処理位置を調整し、このｎ枚目の用紙に対する個別調整データに従って後処理を実施する。
【０１１０】
同様に、ステップＳ２９で、任意の画像が形成されたｍ枚目の用紙が後処理装置５０に排出され、ステップＳ３０で、ｍ枚目の用紙の紙排出信号が、画像形成装置制御手段２３から後処理装置制御手段６０に送出されると、このｍ枚目の用紙に対しても個別調整値が設定されているので、後処理装置制御手段６０は、ステップＳ３１で、このｍ枚目の用紙の受取り処理を実行すると共に、このｍ枚目の用紙に対して設定された個別調整値を紙１枚単位調整データ記憶手段５２から読み出し、ここで読み出されたｍ枚目の用紙に対する調整値に基づいてｍ枚目の用紙の処理位置を調整し、このｍ枚目の用紙に対する個別調整データに従って後処理を実施する。
【０１１１】
次のステップＳ３２で、このジョブで処理される全ての用紙に対する後処理が終了するとＪＯＢ（ジョブ）は終了し、ステップＳ３３で、後処理装置制御手段６０から画像形成装置制御手段２３にＪＯＢ終了信号が送出され、このＪＯＢ終了信号を受信した画像形成装置制御手段２３は、ステップＳ３４で、規定の初期位置に各手段を配置させる等のＪＯＢ終了処理を実行して用紙後処理を含む画像形成ジョブ（コピー動作）を終了する。
【０１１２】
このように、全体調整値に基づく用紙処理装置の制御方法によれば、ＪＯＢ全体調整設定モードで用紙サイズ毎に全体調整値を設定した後に、特定の用紙を指定して個別調整値を設定することができるので、ジョブで処理対象となる大多数の用紙を同一条件で後処理し、少数の特定用紙に対して異なる処理条件を適用する場合に、特定用紙に対する処理条件を含めてジョブ全体の処理条件を簡便に設定することができる。従って、操作性が向上するので処理効率及び装置稼働率も向上する。
【０１１３】
なお、本実施形態としての用紙処理装置の制御方法では、個別調整値及び全体調整値を調整データ記憶手段２２に一時的に保持し、初期化処理時にＪＯＢ全体調整データ記憶手段５１又は紙１枚単位調整データ記憶手段５２に転送したが、これら個別調整値及び全体調整値は入力設定時に直接、ＪＯＢ全体調整データ記憶手段５１又は紙１枚単位調整データ５２に保存されるものであっても良い。
【０１１４】
（２）個別調整値に基づく制御方法
この個別調整値に基づく制御方法では、メニュー画面Ｐ１１で「パンチ穴位置調整」を選択するための「５」釦Ｂ１２等を指定するように入力手段２０を操作することによって、複数の用紙に対して穿孔（パンチ）処理等の用紙処理動作を選択指示し、ここで選択指示された用紙処理動作に関する実行条件を用紙１枚単位で設定するための個別調整値を入力することを前提とする。なお、ここでは、個別調整値に基づく制御方法において、上述した全体調整値に基づく制御方法と相違する点についてのみ説明し、同じ点については説明を省略する。
【０１１５】
この前提条件の下で、上述した全体調整値に基づく制御方法と同様に、図４に示すフローチャートのステップＳ１０１で、画像形成装置制御手段２３は、表示手段２１によりメニュー画面Ｐ１１を表示し、画像形成される複数の用紙に対して用紙処理動作を選択指示する入力を待つ。
【０１１６】
次のステップＳ１０２で、「パンチ穴位置調整」を指定するための「５」釦Ｂ１２の選択によりパンチ穴位置調整が用紙処理動作として選択指示された場合、ステップＳ１０５に進み、穿孔位置調整データ設定処理を実行するために、図６に示すサブルーチンをコールする。
【０１１７】
ここで、図６に示すサブルーチンに移行して、ステップＳ３０１で、パンチ穴位置調整画面Ｐ１に表示を切り換え、表題「個別調整指定数値  入力設定」Ｔ３の隣に個別調整値を設定する用紙の順位＜１枚目＞Ｎ５を表示して１枚目調整画面であることを明示すると共に、選択指示された用紙処理動作、即ち、穿孔処理動作に関する実行条件として個別調整値を用紙１枚単位で設定する入力を待つ。
【０１１８】
ステップＳ３０２で、調整終了釦Ｂ６が押下された場合、穿孔位置調整データを更新せずに、図４に示したフローチャートのステップＳ１０５に戻り、穿孔位置調整データ設定処理を終了する。調整終了釦Ｂ６が選択されなかった場合、次のステップＳ３０３に進み、転写紙サイズ設定釦Ｂ５ａ，Ｂ５ｂが押下された場合、次のステップＳ３０４で、転写紙サイズＮ１を更新するようにパンチ穴位置調整画面Ｐ１の表示を切り換えてからステップＳ３０５に進む。転写紙サイズ設定釦Ｂ５ａ，Ｂ５ｂが選択されなかった場合、ステップＳ３０４をスキップし、ステップＳ３０５に進む。
【０１１９】
ステップＳ３０５で、個別調整値を設定する用紙の順位Ｎ５を変更するように、テンキーＢ３により枚数入力がなされて「枚数設定」釦Ｂ３ａが選択された場合、ステップＳ３０６に進み、設定枚数目「ＸＸ」を用紙の順位Ｎ５に表示するようにパンチ穴位置調整画面Ｐ１の表示を切り換えてからステップＳ３０７に進む。テンキーＢ３による枚数入力がなかった場合、ステップＳ３０６をスキップしてステップＳ３０７に進む。
【０１２０】
ステップＳ３０７で、テンキーＢ４からパンチ穴位置を調整するための調整値が入力されて「調整値設定」釦Ｂ４ａが選択された場合、ステップＳ３０８に進み、用紙順位「ＸＸ」枚目に対して設定された調整値を調整データとして調整データ記憶手段２２に記憶してステップＳ３０２に戻る。このステップＳ３０２乃至ステップＳ３０８のループを繰り返すことにより特定の用紙に対する調整値の設定を用紙１枚単位で実行する。
【０１２１】
ステップＳ３０２で、調整終了釦Ｂ６が選択されると、図４に示したフローチャートのステップＳ１０５に戻り、メニュー画面Ｐ１１に表示を切り替え、穿孔位置調整データ設定処理を終了する。
【０１２２】
ステップＳ１０２で、穿孔位置調整が選択されなかった場合、ステップＳ１０３に進み、「中折りストッパ位置調整」を選択するための「２」釦Ｂ１１の指定により用紙処理動作として折り処理が選択指示された場合、ステップＳ１０６に進み、折り位置調整データ設定処理を実行するために、図６に示すサブルーチンをコールし、穿孔位置調整が選択された場合と同様にして、折り位置調整データ設定処理を実行してからステップＳ１０６に戻り、メニュー画面Ｐ１１を表示して折り位置調整データ設定処理を終了する。
【０１２３】
ステップＳ１０３で、折り位置調整が選択されなかった場合、ステップＳ１０４に進み、「断裁ストッパ位置調整」を選択するための「４」釦Ｂ１４の指定により用紙処理動作として断裁処理が選択指示された場合、ステップＳ１０７に進み、断裁位置調整データ設定処理を行うために、図６に示すサブルーチンをコールし、穿孔位置調整が選択された場合と同様にして、断裁位置調整データ設定処理を実行してからステップＳ１０７に戻り、メニュー画面Ｐ１１を表示して断裁位置調整データ設定処理を終了する。
【０１２４】
このように個別調整値を用紙１枚単位で設定し、この個別調整値に基づいて用紙処理装置を制御する場合、図３に示したステップＳ１７で、画像形成装置制御手段２３はコピー動作を開始し、ステップＳ１８で、コピースタート信号と個別調整データとを後処理装置制御手段６０に送出する。このとき送出される個別調整データは、ジョブで処理対処となる複数の用紙の全てに対して用紙１枚単位で設定されたものであって、紙１枚単位調整データ記憶手段５２に記憶される。
【０１２５】
後処理装置制御手段６０は、ステップＳ２０以降で、紙排出信号が画像形成装置制御手段２３から後処理装置制御手段６０に送出される度に、この紙排出信号に対応する用紙に対して設定された個別調整値を紙１枚単位調整データ記憶手段５２から読み出し、ここで読み出された個別調整値に基づいて、この用紙に対する処理位置を調整し、このように用紙１枚単位で調整の施された処理位置で用紙処理を実行するように制御する。
【０１２６】
従って、個別調整値に基づく用紙処理装置の制御方法によれば、ジョブで処理対象となる全用紙の処理位置又は処理内容を全て相違させて出力することができる。このため、例えば、画像形成装置１０により画像形成された用紙に対する穿孔位置を用紙１枚単位でずらしてファイル用のパンチ穴が開口された用紙を作成すると共に、これらファイル用の複数の用紙に添付する表紙の断裁位置をずらして大きめの表紙を作成するように設定することができるので、若干大きなサイズの表紙で内部を保護できると共に、ページのずれた部分を見出しとして使用可能で、かつ、容易にページを繰ることができるファイル等を簡単に作成できる。
【０１２７】
このように、本発明に係る画像形成システム１における用紙処理装置の制御方法によれば、画像形成後の複数の用紙に対する処理条件を用紙１枚単位で独立に設定できるので、これら複数の用紙に夫々異なる後処理を施して出力することができる。よって、穿孔位置、断裁位置又は折位置等の用紙処理位置を用紙１枚単位で変更することができると共に、特定の紙に対する後処理内容を変更することも可能となる。
［２］画像形成装置
本実施形態では、上述した後処理装置５０を画像形成装置内に組み込んで１台の装置とし、この後処理装置５０が組み込まれた画像形成装置によって、与えられた用紙に画像を形成し、この用紙を任意選択可能に処理する。
【０１２８】
これによって、上述した画像形成システム１と同様に、画像形成後の複数の用紙に対する処理条件を用紙１枚単位で独立に設定できるので、これら複数の用紙に夫々異なる後処理を施して出力することができるようにしたものである。
【０１２９】
図７は、本実施形態としての画像形成装置２の構成例を示すブロック図である。このブロック図において、上述した画像形成システム１と同一部分には同一符号を付与し、この同一部分についての説明を省略する。
【０１３０】
画像形成装置２は、画像形成システム１と同様に、有無検知手段１２及び紙サイズ検知手段１３を有する記録紙収納手段１１と、給送手段１４と、搬送手段１５と、画像データ記憶手段１７と、画像形成手段１８と、入力手段２０及び表示手段２１を有する操作手段１９と、ＪＯＢ全体調整データ記憶手段５１と、紙１枚単位調整データ記憶手段５２と、穿孔手段５３と、中折り手段５４と、断裁手段５５と、集積手段５７と、スタック整合手段５８と、綴じ手段５９とを備え、ＣＰＵ１０１、ＲＡＭ１０２及びＲＯＭ１０３を有する制御手段１００を更に備えて構成される。
【０１３１】
画像形成システム１と画像形成装置２との相違点は、画像形成システム１では、シリアル通信手段１６を介して相互にデータ交換可能な画像形成装置制御手段２３と後処理装置制御手段６０とがシステム全体の動作を共同制御するのに対し、画像形成装置２では、制御手段１００が、画像形成動作及び断裁動作を含む装置全体の動作を単独制御することである。
【０１３２】
従って、画像形成装置２では、画像形成システム１と同じ作用効果を奏する上に、画像形成システム１では必須であった画像形成装置制御手段２３と後処理装置制御手段６０との間でのシリアル通信手段１６を介したデータ交換の必要がなくなる。よって、ＲＯＭ１０３に格納される制御プログラムが単純化されるので、ＣＰＵ１０１の負荷が低減されて処理速度が速くなる。
【産業上の利用可能性】
【０１３３】
本発明は、任意の画像データに基づいて用紙上に画像を形成し、この画像形成された用紙に任意選択可能な後処理を施して出力する印刷機、複写機及びこれらの複合機等に適用して極めて好適である。
【図面の簡単な説明】
【０１３４】
【図１】本発明に係る画像形成システムの構成例を示すブロック図である。
【図２】パンチ穴位置調整画面Ｐ１の表示例を示す図である。
【図３】画像形成装置１０と後処理装置５０との間での調整データの送受信例を示すシーケンスチャートである。
【図４】画像形成システム１による個別調整値の設定例を示すフローチャートである。
【図５】画像形成システム１による全体調整値の設定例（その１）を示すフローチャートである。
【図６】画像形成システム１による全体調整値の設定例（その２）を示すフローチャートである。
【図７】本発明に係る画像形成装置の構成例を示すブロック図である。
【図８】（ａ）は、従来の用紙処理装置によるメニュー画面Ｐ１１の表示例を示す図であり、（ｂ）は、従来の用紙処理装置によるパンチ穴位置調整画面Ｐ１２の表示例を示す図である。
【符号の説明】
【０１３５】
１  画像形成システム
２，１０  画像形成装置
１８  画像形成手段
１９  操作手段
２０  入力手段
２１  表示手段
２２  画像形成装置制御手段
５０  後処理装置
５１  ＪＯＢ全体調整データ記憶手段
５２  紙１枚単位調整データ記憶手段
５３  穿孔手段
５４  中折り手段
５５  断裁手段
６０  後処理装置制御手段
１００  制御手段
【図１】
2005096924.tif 000003
【図２】
2005096924.tif 000004
【図３】
2005096924.tif 000005
【図４】
2005096924.tif 000006
【図５】
2005096924.tif 000007
【図６】
2005096924.tif 000008
【図７】
2005096924.tif 000009
【図８】
2005096924.tif 000010